(57)【特許請求の範囲】
【請求項１】
収納空間内にスライド可能に収納され、前記収納空間内に収納される収納位置、及び前記収納空間から突出する使用位置を有し、前記使用位置においてカップを挿入可能な上下に貫通するカップ挿入穴を有するホルダー本体と、
前記ホルダー本体に回転軸を介して回転可能に支持され、前記収納位置においては前記ホルダー本体と平行に折り畳まれた状態で前記収納空間内に収納され、前記使用位置においては前記ホルダー本体の下方に回転し、前記カップ挿入穴から挿入された前記カップの底を載置可能なカップ載置部材とを備える乗り物用のカップホルダーにおいて、
前記ホルダー本体と、前記カップ載置部材との間には、
少なくとも前記収納位置において互いにはまり合うガイド突起とガイド穴とのいずれかの一方をそれぞれに設けていることを特徴とする乗り物用のカップホルダー。
【請求項２】
前記ガイド突起は、
前記カップ載置部材の回転により、前記ガイド穴内を相対的に移動するようにしていることを特徴とする請求項１に記載の乗り物用のカップホルダー。
【請求項３】
前記ガイド穴は、
前記ガイド突起の移動方向に沿って長く延び、
前記ガイド突起は、
当該ガイド突起の移動方向に対向する少なくとも一方の前記ガイド穴の側壁に弾性的に当接するようにしていることを特徴とする請求項２に記載の乗り物用のカップホルダー。
【請求項４】
前記ガイド穴には、
前記収納位置において前記ガイド突起が位置する収納位置用停止部と、
前記使用位置において前記ガイド突起が位置する使用位置用停止部と、
前記収納位置用停止部と使用位置用停止部との間に位置し、前記一方の側壁から当該ガイド穴内に向かって突出する凸部とを備えていることを特徴とする請求項３に記載の乗り物用のカップホルダー。
【請求項５】
前記ガイド突起と当該ガイド突起がはまり込む前記ガイド穴とを対として、
前記対をカップ載置部材を支持する回転軸の軸線方向に複数設けていることを特徴とする請求項１〜４のいずれか１項に記載の乗り物用のカップホルダー。
【請求項６】
前記ガイド突起は、
前記ホルダー本体の下面から前記カップ載置部材に向かって突出し、
前記ガイド穴は、
前記カップ載置部材に設けられていることを特徴とする請求項１〜５のいずれか１項に記載の乗り物用のカップホルダー。
【発明の詳細な説明】
【０００１】
【発明の属する技術分野】
この発明は、自動車等の乗り物用のカップホルダーに関し、車両の振動等によるガタ付きを低減することができるようにしたものである。
【０００２】
【従来の技術】
従来、カップホルダーには、ケースと、このケースにスライド可能に保持され、カップ挿入穴を有するホルダー本体と、このホルダー本体をケースから引き出した際に、下方に回転し、前記カップ挿入穴から挿入された前記カップの底を載置可能なカップ載置部材とを備えるものが知られている（例えば実公平5-30984号公報、特開平9-169235号公報等）。
【０００３】
【発明が解決しようとする課題】
しかし、上記した従来のカップホルダーでは、車両の振動等により、ホルダー本体とカップ載置部材とが接触して異音を発生するおそれがあるという第一の問題点があった。
また、上記した従来のカップホルダーでは、カップ載置部材が急激に回転して、ケースの周囲や、或いはホルダー本体の下面に衝突して異音が発生し、乗り物内の静粛さを損なうおそれがあるという第二の問題点があった。
【０００４】
そこで、各請求項にそれぞれ記載された各発明は、上記した従来の技術の有する第一及び第二の問題点に鑑みてなされたものであり、その目的とするところは、次の点にある。
（請求項１）
請求項１に記載の発明は、上記した従来の技術の有する第一の問題点に鑑みてなされたものであり、その目的とするところは、次の点にある。
【０００５】
すなわち、請求項１に記載の発明は、互いにはまり合うガイド突起とガイド穴とを設けることで、少なくとも収納位置におけるカップ載置部材のガタ付きを低減することができるようにしたものである。
（請求項２）
請求項２に記載の発明は、上記した請求項１に記載の発明の目的に加え、次の点を目的とする。
【０００６】
すなわち、請求項２に記載の発明は、カップ載置部材の回転により、ガイド突起がガイド穴内を相対的に移動するようにすることで、収納位置ばかりでなく、使用位置を含めて、カップ載置部材のガタ付きを低減することができるようにしたものである。
（請求項３）
請求項３に記載の発明は、上記した従来の技術の有する第一の問題点に加え、第二の問題点に鑑みてなされたものであり、上記した請求項２に記載の発明の目的に加え、次の点を目的とする。
【０００７】
すなわち、請求項３に記載の発明は、ガイド突起とガイド穴とを弾性的に当接させることで、カップ載置部材のガタ付きを一層、低減することができるようにしたものである。
これに加え、請求項３に記載の発明は、カップ載置部材が急激に回転して、収納空間の周囲の壁面や、或いはホルダー本体の下面に衝突して異音が発生するのを未然に防止することができるようにしたものである。
（請求項４）
請求項４に記載の発明は、上記した従来の技術の有する第一の問題点に加え、第二の問題点に鑑みてなされたものであり、上記した請求項３に記載の発明の目的に加え、次の点を目的とする。
【０００８】
すなわち、請求項４に記載の発明は、ガイド突起を、ガイド穴の収納位置用停止部と使用位置用停止部とにそれぞれ停止させることで、収納位置及び使用位置におけるカップ載置部材のガタ付きを低減することができるようにしたものである。
これに加え、請求項４に記載の発明は、カップ載置部材が急激に回転して、収納空間の周囲の壁面や、或いはホルダー本体の下面に衝突して異音が発生するのを未然に防止することができるようにしたものである。
（請求項５）
請求項５に記載の発明は、上記した請求項１〜４のいずれか１項に記載の発明の目的に加え、次の点を目的とする。
【０００９】
すなわち、請求項５に記載の発明は、ガイド突起とガイド穴とを複数対形成することで、カップ載置部材のガタ付きを一層、低減することができるようにしたものである。
（請求項６）
請求項６に記載の発明は、上記した請求項１〜５のいずれか１項に記載の発明の目的に加え、次の点を目的とする。
【００１０】
すなわち、請求項６に記載の発明は、比較的、構造の簡便なカップホルダーを提供することができるようにしたものである。
【００１１】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１２】
また、図面番号も、発明の実施の形態において用いた図番を示し、本発明の技術的範囲を限定するものではない。
（請求項１）
請求項１に記載の発明は、次の点を特徴とする。
第一に、乗り物用のカップホルダー(10)には、例えば図１に示すように、次の構成を備える。
【００１３】
（１）ホルダー本体(40)
ホルダー本体(40)は、収納空間(31)内にスライド可能に収納され、収納空間(31)内に収納される収納位置（例えば図３参照）、及び収納空間(31)から突出する使用位置（例えば図２参照）を有し、使用位置においてカップ（図示せず）を挿入可能な上下に貫通するカップ挿入穴(41)を有するものである。
【００１４】
（２）カップ載置部材(50)
カップ載置部材(50)は、ホルダー本体(40)に回転軸(51)を介して回転可能に支持され、例えば図３に示すように、収納位置においてはホルダー本体(40)と平行に折り畳まれた状態で収納空間(31)内に収納され、例えば図２に示すように、使用位置においてはホルダー本体(40)の下方に回転し、カップ挿入穴(41)から挿入されたカップ（図示せず）の底を載置可能なものである。
【００１５】
第二に、ホルダー本体(40)と、カップ載置部材(50)との間には、例えば図１に示すように、少なくとも収納位置において互いにはまり合うガイド突起(60)とガイド穴(70)とのいずれかの一方をそれぞれに設けている。
なお、ガイド突起(60)を、ホルダー本体(40)に、ガイド穴(70)をカップ載置部材(50)にそれぞれ設けているが、これに限らず、逆にガイド突起をカップ載置部材(50)に、ガイド穴をホルダー本体(40)にそれぞれ設けても良い。
（請求項２）
請求項２に記載の発明は、上記した請求項１に記載の発明の特徴点に加え、次の点を特徴とする。
【００１６】
第一に、ガイド突起(60)は、カップ載置部材(50)の回転により、例えば図４に示すように、ガイド穴(70)内を相対的に移動するようにしている。
（請求項３）
請求項３に記載の発明は、上記した請求項２に記載の発明の特徴点に加え、次の点を特徴とする。
【００１７】
第一に、ガイド穴(70)は、例えば図１に示すように、ガイド突起(60)の移動方向に沿って長く延びる。
第二に、ガイド突起(60)は、例えば図４に示すように、当該ガイド突起(60)の移動方向に対向する少なくとも一方のガイド穴(70)の側壁に弾性的に当接するようにしている。
（請求項４）
請求項４に記載の発明は、上記した請求項３に記載の発明の特徴点に加え、次の点を特徴とする。
【００１８】
すなわち、ガイド穴(70)には、例えば図４に示すように、次の構成を備える。
（１）収納位置用停止部(71)
収納位置用停止部(71)は、収納位置においてガイド突起(60)が位置するものである。
（２）使用位置用停止部(72)
使用位置用停止部(72)は、使用位置においてガイド突起(60)が位置するものである。
【００１９】
（３）凸部(73)
凸部(73)は、例えば図４に示すように、収納位置用停止部(71)と使用位置用停止部(72)との間に位置し、一方の側壁から当該ガイド穴(70)内に向かって突出するものである。
（請求項５）
請求項５に記載の発明は、上記した請求項１〜４のいずれか１項に記載の発明の特徴点に加え、次の点を特徴とする。
【００２０】
第一に、例えば図１に示すように、ガイド突起(60)と当該ガイド突起(60)がはまり込むガイド穴(70)とを対とする。
第二に、例えば図１に示すように、対をカップ載置部材(50)を支持する回転軸(51)の軸線方向に複数設けている。
なお、対を２個設けているが、これに限らず、３個以上設けても良い。
（請求項６）
請求項６に記載の発明は、上記した請求項１〜５のいずれか１項に記載の発明の特徴点に加え、次の点を特徴とする。
【００２１】
第一に、ガイド突起(60)は、例えば図１に示すように、ホルダー本体(40)の下面からカップ載置部材(50)に向かって突出する。
第二に、ガイド穴(70)は、例えば図１に示すように、カップ載置部材(50)に設けられている。
【００２２】
【発明の実施の形態】
（図面の説明）
図１〜４は、本発明の実施の形態の一例をそれぞれ示すものである。
図１は、カップホルダーの分解斜視図、図２は使用位置を示すカップホルダーの概略断面図、図２に対応し、図３は収納位置を示すカップホルダーの概略断面図、図４はガイド溝の拡大平面図をそれぞれ示すものである。
（カップホルダー10）
図１〜３中、10は、カップホルダー10を示すものである。
【００２３】
上記カップホルダー10は、自動車等の乗り物に取り付けられる。
なお、乗り物は、自動車に限定されず、電車、航空機、船舶等にも使用できる。
具体的には、カップホルダー10は、図２に示すように、車内のインストルメントパネル20に埋設状に取り付けられている。
【００２４】
なお、カップホルダー10の取付位置は、インストルメントパネル20に限定されず、コンソールやアームレスト等でも良い。
カップホルダー10は、図１〜２に示すように、大別すると、次のパーツを備える。
（１）ケース30
（２）ホルダー本体40
（３）カップ載置部材50
なお、カップホルダー10のパーツは、上記した（１）〜（３）に限定されない。
（ケース30）
ケース30には、図２に示すように、前面が開放した収納空間31を備え、車内のインストルメントパネル20に埋設状に取り付けられている。
（ホルダー本体40）
ホルダー本体40は、図１に示すように、カップ（図示せず）を挿入可能な上下に貫通するカップ挿入穴41を有する。
【００２５】
上記カップ挿入穴41の内縁部には、軟質材、例えば消音用のエラストマを使用し、カップ（図示せず）との衝突音を低減させる。
なお、カップ挿入穴41の個数は、１個に限定されず、２個以上設けても良い。
上記ホルダー本体40は、図２に示すように、ケース30にスライド可能に支持され、収納空間31の開放前面より出入りする。
【００２６】
ホルダー本体40は、図３に示すように、ケース30の収納空間31内に収納される収納位置と、図２に示すように、収納空間31から突出する使用位置とを有する。
（カップ載置部材50）
カップ載置部材50は、図１に示すように、左右一対の回転軸51,51を有する。
具体的には、ホルダー本体40の下面には、図１に示すように、左右の回転軸51をそれぞれ支持する左右一対の軸受部42,42を設けている。
【００２７】
なお、カップ載置部材50に、回転軸51を、ホルダー本体40に軸受部42をそれぞれ設けたが、これに限らず、逆にカップ載置部材50に軸受部を、ホルダー本体40に回転軸をそれそれ設けても良いし、或いは回転軸を別体としても良い。
カップ載置部材50は、図３に示すように、収納位置においてはホルダー本体40と平行に折り畳まれた状態で収納空間31内に収納される。また、カップ載置部材50は、図２に示すように、使用位置においてはホルダー本体40の下方に回転し、カップ挿入穴41から挿入されたカップ（図示せず）の底を載置可能なものである。
（ガイド突起60とガイド穴70）
一方、ホルダー本体40と、カップ載置部材50との間には、図１に示すように、少なくとも収納位置において互いにはまり合うガイド突起60とガイド穴70とのいずれかの一方をそれぞれに設けている。
【００２８】
なお、ガイド突起60を、ホルダー本体40に、ガイド穴70をカップ載置部材50にそれぞれ設けているが、これに限らず、逆にガイド突起をカップ載置部材50に、ガイド穴をホルダー本体40にそれぞれ設けても良い。
すなわち、ガイド突起60と当該ガイド突起60がはまり込むガイド穴70とを対とする。
【００２９】
具体的には、対をカップ載置部材50を支持する回転軸51の軸線方向に複数、例えば左右一対設けている。
なお、対を左右一対設けたが、これに限らず、３個以上設けても良い。
各ガイド突起60は、図１に示すように、ホルダー本体40の下面からカップ載置部材50に向かって突出する。
【００３０】
そして、各ガイド突起60は、カップ載置部材50の回転により、図４に示すように、各ガイド穴70内を相対的に移動するようにしている。
また、各ガイド突起60は、図４に示すように、当該ガイド突起60の移動方向に対向する少なくとも一方のガイド穴70の側壁に弾性的に当接するようにしている。
【００３１】
具体的には、左右のガイド突起60の間隔を、左右のガイド穴70の間隔より広く設定している。
その結果、各ガイド突起60は、図４に示すように、左右のガイド穴70の外側に位置する側壁に弾性的に当接する。
一方、ガイド穴70は、図１に示すように、カップ載置部材50に設けられている。
【００３２】
そして、ガイド穴70は、図１に示すように、ガイド突起60の移動方向に沿って長く延びる。
具体的には、ガイド穴70の全長を、図４に示すように、ガイド突起60の長さの２倍以上に設定している。また、ガイド穴70の幅も、ガイド突起60の厚みの２倍以上に設定している。
【００３３】
また、各ガイド穴70には、図４に示すように、次の部分を備える。
なお、各ガイド穴70の部分は、次の（１）〜（３）に限定されない。
（１）収納位置用停止部71
収納位置用停止部71は、収納位置においてガイド突起60が位置するものである。
【００３４】
（２）使用位置用停止部72
使用位置用停止部72は、使用位置においてガイド突起60が位置するものである。
（３）凸部73
凸部73は、図４に示すように、収納位置用停止部71と使用位置用停止部72との間に位置し、一方の側壁から当該ガイド穴70内に向かって突出するものである。
【００３５】
具体的には、凸部73は、図４に示すように、左右のガイド穴70の外側に位置する側壁から相対向して半円形に突出する。
（使用方法）
上記した構成を備えるカップホルダー10は、次のように使用する。
まず、図３に示す収納位置のホルダー本体40を、図２に示すように、手前に引き出す。
【００３６】
なお、ホルダー本体40を手動で引き出したが、これに限らず、ばね等のばね力を利用して突出するようにしても良い。
ホルダー本体40を手前に引き出すと、図２に示すように、カップ載置部材50が、その回転軸51を中心に、自重で下方に回転する。
なお、カップ載置部材50が自重で下方に回転するようにしたが、これに限らず、カップ載置部材50を持って、手動で下方に回転させても良いし、或いはばね等のばね力を利用して下方に回転するようにしても良い。
【００３７】
カップ載置部材50が下方に回転する際に、各ガイド突起60は、図４に示すように、各ガイド穴70の収納位置用停止部71から、使用位置用停止部72に向かって相対的に移動する。
このとき、各ガイド突起60は、図４に示すように、左右のガイド穴70の外側に位置する側壁に弾性的に当接しながら移動する。
【００３８】
移動途中で、各ガイド突起60は、図示しないが、凸部73を乗り越える。
このため、カップ載置部材50が、急激に下方に回転し、ケース30の下面等に衝突し、異音を発生するのを防止することができる。
各ガイド突起60は、図示しないが、凸部73を乗り越えた後、使用位置用停止部72に停止する。
【００３９】
使用位置用停止部72においては、各ガイド突起60が、左右のガイド穴70の外側に位置する側壁に弾性的に当接することで、カップ載置部材50が、回転軸51の軸線方向にガタ付くのを防止することができる。
また、凸部73があることから、各ガイド突起60が、使用位置用停止部72から収納位置用停止部71に戻るのを防止でき、カップ載置部材50の回転方向のガタ付きを防止することができる。
【００４０】
一方、ホルダー本体40を収納する際には、ケース30の収納空間31の奥に向かって、ホルダー本体40を押し込めば良い。
ホルダー本体40を押し込むと、下方に回転しているカップ載置部材50が、ケース30の開放前面の下縁部に当接する。
ここで、ホルダー本体40を強く押し込むと、カップ載置部材50は、ケース30の下縁部に跳ね上げられて、図２に示すように、その回転軸51を中心に上方に回転し、ホルダー本体40と平行に折り畳まれた状態で、ケース30の収納空間31内に収納される。
【００４１】
カップ載置部材50が上方に回転する際に、各ガイド突起60は、図４に示すように、各ガイド穴70の使用位置用停止部72から、収納位置用停止部71に向かって相対的に移動する。
このとき、各ガイド突起60は、図４に示すように、左右のガイド穴70の外側に位置する側壁に弾性的に当接しながら移動する。
【００４２】
移動途中で、各ガイド突起60は、図示しないが、凸部73を乗り越える。
このため、カップ載置部材50が、急激に上方に回転し、ホルダー本体40の下面等に衝突し、異音を発生するのを防止することができる。
各ガイド突起60は、図示しないが、凸部73を乗り越えた後、収納位置用停止部71に停止する。
【００４３】
収納位置用停止部71においては、各ガイド突起60が、左右のガイド穴70の外側に位置する側壁に弾性的に当接することで、カップ載置部材50が、回転軸51の軸線方向にガタ付くのを防止することができる。
また、凸部73があることから、各ガイド突起60が、収納位置用停止部71から使用位置用停止部72に戻るのを防止でき、カップ載置部材50の回転方向のガタ付きを防止することができる。
【００４４】
【発明の効果】
本発明は、以上のように構成されているので、以下に記載されるような効果を奏する。
（請求項１）
請求項１に記載の発明によれば、次のような効果を奏する。
【００４５】
すなわち、請求項１に記載の発明によれば、互いにはまり合うガイド突起とガイド穴とを設けることで、少なくとも収納位置におけるカップ載置部材のガタ付きを低減することができる。
（請求項２）
請求項２に記載の発明によれば、上記した請求項１に記載の発明の効果に加え、次のような効果を奏する。
【００４６】
すなわち、請求項２に記載の発明によれば、カップ載置部材の回転により、ガイド突起がガイド穴内を相対的に移動するようにすることで、収納位置ばかりでなく、使用位置を含めて、カップ載置部材のガタ付きを低減することができる。
（請求項３）
請求項３に記載の発明によれば、上記した請求項２に記載の発明の効果に加え、次のような効果を奏する。
【００４７】
すなわち、請求項３に記載の発明によれば、ガイド突起とガイド穴とを弾性的に当接させることで、カップ載置部材のガタ付きを一層、低減することができる。
これに加え、請求項３に記載の発明によれば、カップ載置部材が急激に回転して、収納空間の周囲の壁面や、或いはホルダー本体の下面に衝突して異音が発生するのを未然に防止することができる。
（請求項４）
請求項４に記載の発明によれば、上記した請求項３に記載の発明の効果に加え、次のような効果を奏する。
【００４８】
すなわち、請求項４に記載の発明によれば、ガイド突起を、ガイド穴の収納位置用停止部と使用位置用停止部とにそれぞれ停止させることで、収納位置及び使用位置におけるカップ載置部材のガタ付きを低減することができる。
これに加え、請求項４に記載の発明は、カップ載置部材が急激に回転して、収納空間の周囲の壁面や、或いはホルダー本体の下面に衝突して異音が発生するのを未然に防止することができる。
（請求項５）
請求項５に記載の発明によれば、上記した請求項１〜４のいずれか１項に記載の発明の効果に加え、次のような効果を奏する。
【００４９】
すなわち、請求項５に記載の発明によれば、ガイド突起とガイド穴とを複数対形成することで、カップ載置部材のガタ付きを一層、低減することができる。
（請求項６）
請求項６に記載の発明によれば、上記した請求項１〜５のいずれか１項に記載の発明の効果に加え、次のような効果を奏する。
【００５０】
すなわち、請求項６に記載の発明によれば、比較的、構造の簡便なカップホルダーを提供することができる。
【図面の簡単な説明】
【図１】カップホルダーの分解斜視図である。
【図２】使用位置を示すカップホルダーの概略断面図である。
【図３】図２に対応し、収納位置を示すカップホルダーの概略断面図である。
【図４】ガイド溝の拡大平面図である。
【符号の説明】
10  カップホルダー        20  インストルメントパネル
30  ケース                31  収納空間
40  ホルダー本体          41  カップ挿入穴
42  軸受部                50  カップ載置部材
51  回転軸                60  ガイド突起
70  ガイド穴              71  収納位置用停止部
72  使用位置用停止部      73  凸部
【図１】
0004566454.tif 000002
【図２】
0004566454.tif 000003
【図３】
0004566454.tif 000004
【図４】
0004566454.tif 000005